(57)【要約】【課題】有線、無線両方の信号送信が可能であり、かつ誤動作のない競技用データ表示装置の提供。【解決手段】データを入力する操作部１に、無線発信部２２及び有線出力部２１を設け、表示部２に無線信号を受信する無線受信部２６及び有線出力部２１とケーブル４を介して接続された有線入力部２５を設け、さらに操作部から表示部に無線信号及び有線信号がともに入力したとき有線信号を優先して出力する有線信号優先回路部２８を設けた。操作部、表示部間にケーブルを接続した場合は有線信号により、またケーブルを接続しない場合は無線信号によりデータを表示する。両信号の受信による誤動作が防止される。【選択図】　　　　図３
2004049534.tif 000002
【特許請求の範囲】
【請求項１】
競技時間、得点等競技データを表示する表示部と、該表示部に上記データを送信する操作部とを備え、該操作部と上記表示部が別々に形成されてなり、上記操作部から上記表示部へのデータ送信が、ケーブルを介した有線信号及び無線信号のいずれにても可能な競技用データ表示装置において、
上記操作部に設けられた無線信号を発信する無線発信部及び有線信号を出力する有線出力部と、
上記表示部に設けられた上記無線信号を受信する無線受信部及び上記有線出力部と上記ケーブルを介して接続され上記有線出力部からのデータが入力する有線入力部と、
上記無線受信部及び上記有線入力部からの信号を入力し、無線信号及び有線信号がともに入力したときは有線信号を優先して出力する有線信号優先回路部とを備えてなる競技用データ表示装置。
【発明の詳細な説明】
【０００１】
【発明の属する技術分野】
本発明は、バスケットボール競技等に使用される競技用データ表示装置に関する。
【０００２】
【従来の技術】
従来、スポーツ競技の得点等を表示する表示部と、これに表示される得点等を入力する操作部とを別々に構成し、表示部は観客及び選手の見やすい場所に置く必要があることから、通常両者は離れた位置に配置され、両者はケーブルによりまたは無線信号により信号の授受がなされることが多い。
【０００３】
この種表示装置として、例えば特開２０００−６１０１９号公報に開示の構造がある。これは、得点表示部であるスコアボード本体と、これに得点信号を送る表示操作部と、両者を結ぶ配線部とから構成されている。さらにこの構造では、信号線（ケーブル）を使用した信号送信と、無線を使用した信号送信の両方が可能とされ、両者の切換は有線切換キー及び無線切換キーの操作によりなされる旨記載されている。この装置においては、通常は無線信号によりデータ送信がなされ、万一無線部分が故障したときに有線切換キーの操作により、有線モードとされる旨記載されている。
【０００４】
【発明が解決しようとする課題】
通常、有線信号及び無線信号ともに入力可能な表示装置にあっては、表示部に２種類の信号が同時に入力し両信号が重なった場合、無線信号の方がわずかに遅れるために誤動作の原因ととなる。これを避けるために上記公報に掲載の発明にあっては、切換キーを設け、いずれか一方のみの信号しか入力しない構成としていると推測される。一般に無線信号情報と有線信号情報とでは無線信号が雷等気象条件によって悪影響を受けるおそれがあることから、優先信号情報の方が高い信号伝達精度を有するといえる。
【０００５】
しかしながらかかる構成にあっては、主として無線方式が使用されることを考慮してケーブルを敷設しなかった場合（上記公報には「野球場によっては信号線の敷設を省略して、有線での使用を行わないことにしている場合もある」と記載されている。）、無線切換キーの押し忘れにより、信号の授受ができないという問題を生じるおそれがある。
【０００６】
本発明は、このような事情を考慮してなされたものであり、無線、有線信号の自動的な切換を可能とし、前述のような無線、有線切換キーを不要としたものである。
【０００７】
【課題を解決するための手段】
本発明は、競技時間、得点等競技データを表示する表示部と、該表示部に上記データを送信する操作部とを備え、該操作部と上記表示部が別々に形成されてなり、上記操作部から上記表示部へのデータ送信が、ケーブルを介した有線信号及び無線信号のいずれにても可能な競技用データ表示装置において、上記操作部に設けられた無線信号を発信する無線発信部及び有線信号を出力する有線出力部と、上記表示部に設けられた上記無線信号を受信する無線受信部及び上記有線出力部と上記ケーブルを介して接続され上記有線出力部からのデータが入力する有線入力部と、上記無線受信部及び上記有線入力部からの信号を入力し、無線信号及び有線信号がともに入力したときは有線信号を優先して出力する有線信号優先回路部とを備えてなるものである。
【０００８】
かかる構成において、操作部と表示部とがケーブルにて接続されたとき、表示部には無線信号と有線信号の両方が入力するが、このときは、有線信号が優先され、すなわち有線信号のみが表示データ信号として表示部に送られて表示される。またケーブルにて接続されていないときは、無線信号により表示がなされる。
【０００９】
【発明の実施の形態】
以下本発明の実施態様を図面に基づき説明する。図１は、バスケットボール競技やバレーボール競技等を対象とした競技データ表示装置１０の概念的構成で、得点や競技時間（競技経過時間、３０秒ルール）などの競技データを入力操作するための操作部１と、該操作部１にて入力された得点や競技時間などの競技データを表示する表示部２よりなる。競技データは表示部２に配置された複数個のＬＥＤ素子にて表示される。
【００１０】
操作部１は、審判席の机（オフィシャルテーブル）上等に置かれ、その表面に配置されたキー入力手段３が、操作者（審判自身で行ってもよい）によって入力操作される。一方表示部２は、観客やプレーヤーが共に見ることのできるような競技会場の壁面あるいは競技コート外の適当な場所に設置される。
【００１１】
操作部１と表示部２は、信号を授受するための信号ケーブル（有線）４で電気的に接続され、操作部１から出力された表示データ信号に基づいて、所要の競技データが表示部２に表示される。また無線によって、競技データ等の情報は表示部２に伝達され表示することも可能となっている。
【００１２】
また上記操作部１には、ノートパソコン（図示せず）が接続されて、チーム名、その他各種データ信号（チームのファール回数などチーム別の競技情報、個人のファール数や得点、個人の背番号など個人の競技情報）を、表示部２に割り当てた表示領域にそれぞれ表示することができる。
【００１３】
図２および図３は、上記競技データ表示装置１０のブロック回路図であり、図２は操作部側のブロック回路、図３は表示部側のブロック回路をそれぞれ示している。
【００１４】
これらの図において、操作部１上のキー入力手段３は、機能切換キー、設定変更キー、左右チーム別の得点／得点クリア、得セット、サーブ権、コートチェンジ等の入力キー群、さらに競技時間、タイムアウト時間の「分」「秒」等の時間設定、時間のカウントスタート／ストップ／リセット等を行うタイマー時間設定キー群等よりなる。
【００１５】
９はキーを選択するためのセレクタであり、１１は上記セレクタからの信号のもとに、上記キー入力手段３のどのキーが操作されたかを認識するキー認識部である。１２はキー認識部１１からの信号を受けて動作する機能部で、キーの内容に応じたタイマー機能部１４、得点機能部１５、サーブ権機能部１６、タイムアウト機能部１７、得セット機能部１８などの各種機能部を有する。１９は、これら各機能部１４〜１８からの信号を受けて機能部に応じた表示内容を出力するよう動作する表示選択機能部である。
【００１６】
２１は表示選択機能部１９からの有線作動用信号を受けて有線信号を出力する有線出力部で、有線信号はその出力端に接続した信号ケーブル４を介して表示部２へと伝達される。２２は同様に表示選択機能部１９からの無線作動用信号を受けて無線信号を出力する無線発信部であり、その出力端に発信アンテナ２３を有し、該アンテナ２３から無線信号が発信される。なお、２４は水晶発振器、５はこの発振器２４からの信号を分周して、各部の駆動信号ＣＬを得る分周回路、６はこの分周回路２４からの信号を入力して時間信号（時、分、秒信号等）Ｔを発生する時間信号計数部である。
【００１７】
２５は表示部２側の有線入力部で、有線出力部２１からの出力信号を信号ケーブル４を介して入力する。２６は無線受信部にして受信アンテナ２７を有し、該受信アンテナ２７にて、操作部１側の発信アンテナ２３から発信された競技情報に係わる無線信号を受信する。
【００１８】
２８は、有線入力部２５、無線受信部２６のどちらからの信号も入力可能に設けられ、有線信号及び無線信号がともに入力したときは、有線信号を優先して出力し、すなわち無線信号を遮断し、他方ケーブル４が接続されず、無線信号のみ入力したときは、その無線信号をそのまま出力する有線信号優先回路部である。２９は、上記有線信号優先回路部２８から出力される有線信号、あるいは無線信号を受けて動作する、タイマー、得点等の表示駆動部で、表示部２に得点や競技時間などの競技データを表示するようにその表示駆動信号を発する。
【００１９】
表示部２は、複数個のＬＥＤ等の表示素子を配列して形成した複数個の表示体を有する。これら表示部２では、上記タイマー、得点等表示駆動部２９から入力する得点、競技時間などの各データ表示駆動信号に基づいて、得点表示体３１、競技時間表示体３２、得セット数表示体３３、タイムアウト回数表示体３４、サーブ権表示体３５等が表示駆動されて、得点や、競技時間、得セット数、タイムアウト回数、サーブ権等がそれぞれ表示される。また、ノートパソコンにて、対戦するチーム名等も入力されチーム名表示体３６にて表示される。なお、表示素子としては、上記ＬＥＤのほか、液晶、磁気反応素子、ＥＬ（エレクトロルミネッセンス）素子等を使用することができる。
【００２０】
従って、操作部１と表示部２とを信号ケーブル４で接続した仕様では、表示部２側ではその有線入力部２５および無線受信部２６にて有線信号、無線信号のどちらも受けているが、表示部２の入力部前段に設けた、上記有線信号優先回路部２８の働きにより有線信号が優先して出力されるので、後段の表示駆動部２９以降へは有線信号が送信され、有線信号に基づいた表示部２への表示制御が自動的に行われ、無線信号を受信してもその出力は停止されるので、何ら問題ない。
【００２１】
一方操作部１と表示部２の接続が、信号ケーブル４で行われていない仕様では、表示部２側へ発信アンテナ２３と受信アンテナ２７により無線信号が入力する。この場合には有線信号優先回路部２８が受ける有線信号が無いので、これが無線信号の出力規制を行うことはなく、無線信号がそのまま有線信号優先回路部２８から出力されて、表示駆動部２９に入力し、無線信号に基づいた表示部２に対する表示制御が行われる。
【００２２】
このように競技情報が有線信号データと無線信号データが共に、表示部２側に送られても、有線信号優先回路部２８の働きにより、表示部２には有線信号データの方が送られて表示されるので、競技データを入力する操作部１とそれを表示させる表示部２との接続が、有線、無線を併用して行われたものであっても、表示部２には競技内容を正しく表示させることができる。
【００２３】
【発明の効果】
以上のように、本発明の競技データ表示装置は、競技データを入力操作する操作部と競技内容を表示する表示部とが、有線（信号ケーブル）／無線（送受信アンテナ）の両方式で接続され、表示部に有線信号と無線信号の両方が入力したとしても、表示部側に有線信号を優先して出力する有線信号優先回路部を設けたので、表示部には有線信号のみの表示データ信号が送られ、無線信号は自動的に遮断されるから、表示部に競技情報を正しく表示することができる。また両信号の受信による誤動作も防止される。また、ケーブルで接続されていない場合には、有線信号優先回路部は入力した無線信号をそのまま出力するので、無線信号による表示がなされる。
【００２４】
また、両接続方式で設置されている場合に、有線信号による伝達が優先されることによって、無線のように雷等気象条件の影響を受け伝達精度が落ちるという懸念がない有線方式の有利性が発揮されて、常に安定した状態での伝達、表示が行なわれる。
【００２５】
またその有線信号／無線信号の信号授受の切換が自動的になされるために、従来のような有線／無線方式に対応した手動による有線／無線切換キー等の切換え忘れにより、正常に作動しない等の問題も無くなる。またその切換えの手間なども省けるため、取り扱い性の良いものとなる。
【図面の簡単な説明】
【図１】本発明に係わる操作部と表示部とで構成される競技データ表示装置の概念的構成図である。
【図２】操作部側のブロック回路図である。
【図３】表示部側のブロック回路図である。
【符号の説明】
１　操作部
２　表示部
３　キー入力手段
４　信号ケーブル
１０　競技データ表示装置
２１　有線出力部
２２　無線発信部
２５　有線入力部
２６　無線受信部
２８　有線信号優先回路部
【図１】
2004049534.tif 000003
【図２】
2004049534.tif 000004
【図３】
2004049534.tif 000005